(57)【要約】【課題】開封に必要な力を軽減するための紙製容器を提供する。【解決手段】  本考案は、開封用のジッパー３０を備えている紙製容器１であって、ジッパー３０は、複数の切目３１を開封方向に間隔をおいて並べて形成され、切目３１は、紙の繊維が延びている紙目方向に対して斜めに形成されている切目本体線３２と、切目本体線３２の開封方向始端に連なっている始端ガイド線３３と、切目本体線３２の開封方向終端に連なり、紙目方向に沿って形成されている終端線３４と、を含み、始端ガイド線３３は、紙目方向に沿って形成されている始端線３３Ａを含み、隣り合う切目３１の間にて終端線３４と始端ガイド線３３とを最短距離で結んだ仮想線Ｌが紙目方向に沿うように、複数の切目３１が配置されている。【選択図】図５
0003208788.tif 000002
【実用新案登録請求の範囲】
【請求項１】
開封用のジッパー（３０）を備えている紙製容器（１）であって、
前記ジッパーは、複数の切目（３１）を開封方向に間隔をおいて並べて形成され、
前記切目は、
紙の繊維が延びている紙目方向に対して斜めに形成されている切目本体線（３２）と、
前記切目本体線の開封方向始端に連なっている始端ガイド線（３３）と、
前記切目本体線の開封方向終端に連なり、紙目方向に沿って形成されている終端線（３４）と、を含み、
前記始端ガイド線は、紙目方向に沿って形成されている始端線（３３Ａ）を含み、
隣り合う前記切目の間にて前記終端線と前記始端ガイド線とを最短距離で結んだ仮想線（Ｌ）が紙目方向に沿うように、前記複数の切目が配置されていることを特徴とする紙製容器。
【請求項２】
前記終端線は、前記仮想線で結ばれた前記始端ガイド線の前記始端線と同一直線上に形成されていることを特徴とする請求項１に記載の紙製容器。
【請求項３】
前記始端ガイド線は、前記始端線から紙目方向に交差する方向に延びている誘導線（３３Ｂ）を含んでいることを特徴とする請求項１または２に記載の紙製容器。
【考案の詳細な説明】
【技術分野】
【０００１】
本考案は、開封用のジッパーを備えている紙製容器に関する。
【背景技術】
【０００２】
開封用のジッパーを備えている紙製容器が知られている。紙製容器の上部は除去され、紙製容器の下部は商品を展示（陳列）するためのケースとして使用可能になっている。
【０００３】
例えば、特許文献１に記載の紙容器は、一対の切目線を平行に形成したジッパーを備えている。各切目線は、複数の切込を並べて形成されている。各切込の基端には、ジッパー側に屈曲した内曲切込部と、切残し部分側に屈曲した外曲切込部と、が形成されている。ジッパーが紙目方向に対して斜めに形成された場合、ジッパーの切取り時に切残し部分の表皮が剥離し易いという問題があったが、この紙容器では、外曲切込部を形成することで、切残し部分の表皮の剥離を抑制していた。
【先行技術文献】
【特許文献】
【０００４】
【特許文献１】実開平２−２３３２６号公報
【考案の概要】
【考案が解決しようとする課題】
【０００５】
ところで、紙目方向に対して斜めに形成されたジッパーは、紙目方向と平行に形成されたジッパーに比べて、切取り時に大きな力を必要とされていた。したがって、上記した紙容器では斜めに形成されたジッパーを簡単に切り取ることができず、紙容器の開封作業を行う作業者の負担となっていた。
【０００６】
本考案は上記した課題を解決すべく、開封に必要な力を軽減するための紙製容器を提供する。
【課題を解決するための手段】
【０００７】
上記した目的を達成するため、本考案は、開封用のジッパーを備えている紙製容器であって、前記ジッパーは、複数の切目を開封方向に間隔をおいて並べて形成され、前記切目は、紙の繊維が延びている紙目方向に対して斜めに形成されている切目本体線と、前記切目本体線の開封方向始端に連なっている始端ガイド線と、前記切目本体線の開封方向終端に連なり、紙目方向に沿って形成されている終端線と、を含み、前記始端ガイド線は、紙目方向に沿って形成されている始端線を含み、隣り合う前記切目の間にて前記終端線と前記始端ガイド線とを最短距離で結んだ仮想線が紙目方向に沿うように、前記複数の切目が配置されている。
【０００８】
この場合、前記終端線は、前記仮想線で結ばれた前記始端ガイド線の前記始端線と同一直線上に形成されていることが好ましい。
【０００９】
この場合、前記始端ガイド線は、前記始端線から紙目方向に交差する方向に延びている誘導線を含んでいることが好ましい。
【考案の効果】
【００１０】
本考案によれば、紙製容器の開封に必要な力を軽減することができる。
【図面の簡単な説明】
【００１１】
【図１】本考案の一実施形態に係る紙製容器を示す斜視図である。
【図２】本考案の一実施形態に係る紙製容器のブランクを示す平面図である。
【図３】本考案の一実施形態に係る紙製容器を開封した状態を示す斜視図である。
【図４】本考案の一実施形態に係る紙製容器のジッパーの一部を示す平面図である。
【図５】本考案の一実施形態に係る紙製容器の開封途中を示す斜視図である。
【図６】本考案の一実施形態の第１変形例に係る紙製容器のジッパーの一部を示す平面図である。
【図７】本考案の一実施形態の第２変形例に係る紙製容器のジッパーの一部を示す平面図である。
【図８】本考案の一実施形態の第３変形例に係る紙製容器を示す斜視図である。
【考案を実施するための形態】
【００１２】
以下、添付の図面を参照しつつ、本考案の好適な実施形態について説明する。なお、本明細書では、方向や位置を示す用語（例えば、上、下、前、後、左、右などを含む用語）を用いるが、それらの用語は本考案の技術的範囲を限定するものではない。また、図面に示す「Ｆｒ」は「前」を示し、「Ｒｒ」は「後」を示し、「Ｌ」は「左」を示し、「Ｒ」は「右」を示し、「Ｕ」は「上」を示し、「Ｄ」は「下」を示している。さらに、図面に示す「Ｘ」は紙の繊維が延びている向きである「紙目方向」を示している。
【００１３】
図１および図２を参照して、本実施形態に係る紙製容器１について説明する。図１は紙製容器１を示す斜視図である。図２は紙製容器１のブランク２を示す平面図である。
【００１４】
図１に示すように、紙製容器１は、商品（図示せず）を収容可能に直方体状に形成され、開封用のジッパー３０を備えている。紙製容器１は、例えば、板紙製で折畳み可能に構成されたカートンである。
【００１５】
図２に示すように、紙製容器１は、一枚の板紙製を紙器打抜装置で打ち抜いたブランク２を組み立てることで形成されている。ブランク２は、紙目方向に長く形成されている。なお、図２では、紙製容器１の外面側を示している。
【００１６】
ブランク２は、一方から他方に向けて順番に、後面板１１と、右側面板１３と、前面板１０と、左側面板１２と、を連ねて形成されている。各面板１０〜１３は、それぞれ、紙目方向に直交する方向（上下方向）に同一幅を有した矩形板状に形成されている。前面板１０と後面板１１とは、紙目方向に同一長さに形成されている。左側面板１２と右側面板１３とは、紙目方向に同一長さに形成されている。前面板１０（後面板１１）は、左側面板１２（右側面板１３）よりも紙目方向に短く形成されている。各面板１０〜１３の境界には、表側から厚み方向に線状に押し潰された罫線２０が形成されている（図２の破線参照）。
【００１７】
左側面板１２の他端には、罫線２０を介して継代片１４が連設されている。前面板１０および後面板１１の下端には略台形状の底受片１５が連設され、左側面板１２および右側面板１３の下端には底板１６が連設されている。各底板１６の一方（底受片１５側）には斜折線２１が形成されている。前面板１０および後面板１１の上端には略矩形状の蓋受片１７が連設され、左側面板１２の上端には蓋板１８が連設されている。蓋板１８の先端には差込片１８Ａが連設されている。各片１５，１７，１８Ａや各板１６，１８の境界には罫線２０が形成されている。
【００１８】
前面板１０の下側には、ミシン線２２が紙目方向に沿って形成されている。これと同様に、後面板１１の上側にも、ミシン線２３が紙目方向に沿って形成されている。各ミシン線２２，２３は、各面板１０，１１を横断するように略水平に形成されている。各ミシン線２２，２３は、板紙を厚み方向に貫通した直線状の切目を略等間隔に並べて形成されている。なお、継代片１４にもミシン線２３の一端に対応するようにミシン線が形成されている。
【００１９】
また、前面板１０には、左右一対の切目線２４がミシン線２２から上方に延びている。さらに、前面板１０には、左右一対の切目線２４の上端を結ぶように罫線２０が形成されている。詳細は後述するが、ミシン線２２と各切目線２４とで区画された部分は、紙製容器１を開封するときに作業者が指を入れるための開封口２５を構成している。
【００２０】
左右一対の側面板１２，１３には、ジッパー３０が形成されている。左右一対のジッパー３０は、ミシン線２２の左右両端とミシン線２３の左右両端とを結ぶように形成されている。すなわち、各ジッパー３０は、前方から後方に向けて上方に傾斜している。なお、ジッパー３０の詳細な説明は後述する。
【００２１】
各側面板１２，１３の下側（ジッパー３０よりも下方）には、前後一対の倒れ防止片２６が形成されている。各倒れ防止片２６は、後方の一辺を残して略舌状となるように各側面板１２，１３に切り込みを入れることで構成されている。
【００２２】
＜紙製容器の組み立て＞
次に、紙製容器１の組み立て工程について説明する。まず、ブランク２は、左側面板１２と前面板１０との間の罫線２０と、右側面板１３と後面板１１との間の罫線２０とに沿って折り曲げられる。そして、継代片１４は、後面板１１に貼り付けられる。また、底板１６が斜折線２１に沿って折り返され、その折り返された部分が底受片１５に貼り付けられる。以上によって、紙製容器１は、直方体状に組み立てた時に対角に位置する２つの罫線２０で折り畳まれた状態になる。
【００２３】
次に、商品を包装する場合、折り畳まれた紙製容器１は、前後一対の面板１０，１１を対向させるように広げられる。すると、前後一対の面板１０，１１と左右一対の側面壁１２，１３とが角筒状の周壁を形成し、各底受片１５と各底板１６とが底面を形成する（図１参照）。続いて、商品（図示せず）が紙製容器１の底面上に載置される。その後、各蓋受片１７が内側に折り曲げられ、蓋板１８が蓋受片１７を覆うように折り曲げられる。蓋板１８の差込片１８Ａは、右側面板１３と各蓋受片１７の間に差し込まれる（図１参照）。以上によって、紙製容器１が封緘される。
【００２４】
＜紙製容器の開封＞
次に、図３を参照して、封緘された紙製容器１を開封する場合について説明する。図３は紙製容器１を開封した状態を示す斜視図である。
【００２５】
まず、作業者は、前面板１０のミシン線２２と各切目線２４とで区画された部分を押し込み、開封口２５を開口させる。作業者は、開封口２５に指を入れ、前面板１０の上側を手前斜め上方に引っ張る。すると、紙製容器１は、各ミシン線２２，２３および各ジッパー３０に沿って分断され、容器上部１Ｕと容器下部１Ｄとに二分割される。商品は、容器下部１Ｄに収容された状態で展示（店頭に配置）される。なお、各倒れ防止片２６は、内側に折り込まれることで、商品の転倒を抑制するようになっている。
【００２６】
ところで、板紙は、紙の繊維に沿う方向に破けやすく、紙の繊維に直交する方向に破けにくくなっている。したがって、板紙の切断に必要な力は、紙目方向に沿って切断する場合に最小になる。この紙製容器１の各ミシン線２２，２３は、紙目方向と略平行に形成されているため、作業者は、前面板１０および後面板１１を各ミシン線２２，２３に沿って小さな力で切断することができる。一方、各ジッパー３０は、紙目方向に対して斜めに形成されているため、各側面板１２，１３の切断に大きな力が必要になる場合があった。そこで、本実施形態に係る紙製容器１は、開封に必要な力を軽減するためジッパー３０を備えている。
【００２７】
＜ジッパーの構成＞
図１および図４を参照して、各ジッパー３０について説明する。図４はジッパー３０の一部を示す平面図である。なお、以下の説明で、「上流」および「下流」並びにこれらに類する用語は、開封方向の「上流」および「下流」並びにこれらに類する概念を指す。なお、左右一対のジッパー３０は左右対称に形成されているため、以下の説明では、右側面板１３のジッパー３０について述べる。
【００２８】
図１に示すように、ジッパー３０は、右側面板１３を斜めに横断するように形成されている。ジッパー３０は、前端から後斜め上方に向かって切断（開封）されるように形成されている。つまり、ジッパー３０が延びた方向が開封方向になっている。ジッパー３０は、複数の切目３１を開封方向に間隔をおいて並べて形成されている。複数の切目３１は、所定の間隔で並べられることでジッパーラインを構成している。各切目３１は、板紙を厚み方向に切り込んで形成されている。隣り合う切目３１の間には接続部３５が形成されている。
【００２９】
図４に示すように、各切目３１は、切目本体線３２と、始端ガイド線３３と、終端線３４と、を含んでいる。切目本体線３２が始端ガイド線３３と終端線３４とを接続することで、切目３１が形成されている。
【００３０】
切目本体線３２は、紙目方向に対して斜めに形成されている。切目本体線３２は、略Ｓ字を描くように湾曲しつつ開封方向に延びている。
【００３１】
始端ガイド線３３は、切目本体線３２の開封方向始端（上流側）に連なっている。始端ガイド線３３は、始端線３３Ａと誘導線３３Ｂとを含んでいる。始端線３３Ａは、切目本体線３２の開封方向始端から上流側（前方）に向けて僅かに延びている。始端線３３Ａは、紙目方向に沿って形成されている。誘導線３３Ｂは、始端線３３Ａから紙目方向に交差（直交）する方向に延びている。詳細には、誘導線３３Ｂは、始端線３３Ａの開封方向始端から上下両方向に延びている。誘導線３３Ｂの上側と下側とは、始端線３３Ａから同じ長さに形成されている。
【００３２】
終端線３４は、切目本体線３２の開封方向終端（下流側）に連なっている。終端線３４は、切目本体線３２の開封方向終端から下流側（後方）に向けて僅かに延びている。終端線３４は、紙目方向に沿って形成されている。
【００３３】
＜複数の切目の配置＞
次に、複数の切目３１の配置について説明する。本実施形態に係るジッパー３０では、隣り合う切目３１の間にて終端線３４と始端ガイド線３３とを最短距離で結んだ仮想線Ｌが紙目方向に沿うように、複数の切目３１が配置されている。仮想線Ｌは、上流側の切目３１の終端線３４から略水平に延び、下流側の切目３１の始端ガイド線３３（誘導線３３Ｂ）に突き当たっている。本実施形態に係るジッパー３０では、終端線３４は、仮想線Ｌで結ばれた始端ガイド線３３の始端線３３Ａと同一直線上に形成されている。すなわち、始端線３３Ａおよび仮想線Ｌは、終端線３４の延長線上に形成されている。
【００３４】
＜ジッパーの切断作用＞
次に、図４および図５を参照して、ジッパー３０の切断作用について説明する。図５は紙製容器１の開封途中を示す斜視図である。なお、説明を簡単にするため、右側面板１３のジッパー３０に着目して説明する。
【００３５】
既に説明したが、紙製容器１を開封する場合、図５に示すように、作業者は、前面板１０の開封口２５に指を入れ、前面板１０の上側を手前斜め上方に引っ張る。すると、前面板１０は、ミシン線２２に沿って切断される。
【００３６】
作業者が前面板１０を引っ張る力（以下、「切断力」ともいう。）はミシン線２２の左右両端から左右一対のジッパー３０に伝播する。図４に示すように、切断力は、上流側の切目３１から下流側の切目３１に向けて誘導される。詳細には、切断力は、上流側の切目３１の始端ガイド線３３から切目本体線３２に向かい、切目本体線３２によって後斜め上方に誘導され、その後、終端線３４によって紙目方向に誘導される。紙目方向に誘導された切断力は、接続部３５に紙目方向に向かう裂け目を生じさせる。接続部３５に生じた裂け目は、仮想線Ｌに沿って後方に進行し、下流側の切目３１の誘導線３３Ｂに到達する。仮想線Ｌは紙目方向と略平行であるため、作業者は接続部３５を小さな力で切断することができる。
【００３７】
下流側の切目３１の誘導線３３Ｂに到達した切断力は、誘導線３３Ｂから始端線３３Ａに誘導され、切目本体線３２および終端線３４によって更に下流側の切目３１に向けて誘導される。以上のように、接続部３５の切断が連続的に行われることで、各側面板１２，１３が各ジッパー３０に沿って切断される。
【００３８】
左右一対の側面板１２，１３が切断された後、切断力は、左右一対のジッパー３０から後面板１１のミシン線２３の左右両端に伝播する。そして、後面板１１は、ミシン線２３に沿って切断される（図３参照）。
【００３９】
以上によって、紙製容器１は、容器上部１Ｕと容器下部１Ｄとに分割された状態になる（図３参照）。つまり、紙製容器１が開封された状態になる。容器上部１Ｕは廃棄物として処分され、容器下部１Ｄは商品の展示台として使用される。
【００４０】
＜効果＞
以上説明した本実施形態に係る紙製容器１では、仮想線Ｌが紙目方向と略平行になるように、複数の切目３１が形成されていた。隣り合う切目３１の間の接続部３５が仮想線Ｌに沿って切断されることになるため、接続部を紙目方向に沿って小さな力で切断することができる。これにより、紙製容器１の開封に必要な力を軽減することができ、紙製容器１の開封作業を行う作業者の負担を軽減することができる。
【００４１】
また、本実施形態に係る紙製容器１では、上流側の切目３１の終端線３４と下流側の切目３１の始端線３３Ａとが、仮想線Ｌと同一直線上に形成されていた。この構成によって、接続部３５に作用する切断力の方向を紙目方向に一致させることができる。これにより、切断力が紙目方向に向かうため、紙製容器１の開封に必要な力を更に軽減することができる。
【００４２】
また、本実施形態に係る紙製容器１では、誘導線３３Ｂは、接続部３５に作用する切断力を始端線３３Ａに向けて誘導するため、その切断力がジッパーライン（開封方向）から外れることを抑制することができる。これにより、ジッパーラインから外れた切断力によって生じる紙の表層（表皮）の剥離を抑制することができる。
【００４３】
＜第１変形例＞
なお、本実施形態に係る紙製容器１では、各切目３１の切目本体線３２が湾曲して延びていたが、本考案はこれに限定されない。また、接続部３５を挟んで終端線３４と始端線３３Ａとが同一直線上に形成されていたが、本考案はこれに限定されない。例えば、図６に示すように、切目本体線３２が直線状に形成されていてもよい。また、例えば、上流側の切目３１の終端線３４が、下流側の切目３１の始端線３３Ａよりも上方、且つ下流側の切目３１の誘導線３３Ｂの下方に形成されていてもよい。図６に示す第１変形例では、誘導線３３Ｂが上方（容器上部１Ｕ側）にのみ形成されている。この場合でも、上流側の終端線３４と下流側の誘導線３３Ｂとを最短距離で結んだ仮想線Ｌが紙目方向に沿うように、複数の切目３１が配置されている。
【００４４】
＜第２変形例＞
なお、本実施形態に係る紙製容器１では、誘導線３３Ｂが始端線３３Ａから上下両方向に略垂直に延びていたが、本考案はこれに限定されない。例えば、図７に示すように、誘導線３３Ｂが省略され、始端ガイド線３３が始端線３３Ａで構成されていてもよい（第２変形例）。他にも、図示は省略するが、誘導線３３Ｂが前斜め上方（および前斜め下方）に延びていてもよい。
【００４５】
＜第３変形例＞
なお、本実施形態に係る紙製容器１では、１本のジッパー３０が各側面板１２，１３に形成されていたが、本考案はこれに限定されない。例えば、図示は省略するが、ミシン線２２，２３に代えて、ジッパー３０が前面板１０や後面板１１に形成されていてもよい。また、例えば、図８に示すように、各側面板１２，１３（や各面板１０，１１）に上下２本のジッパー３０が平行に形成されていてもよい（第３変形例）。この場合、上下２本のジッパー３０の間に構成された引裂き帯３６を引き裂くことで、紙製容器１を開封することができる。
【００４６】
なお、本実施形態に係る紙製容器１では、ジッパー３０が前方から後方に向けて上り勾配となるように形成されていたが、本考案はこれに限定されない。例えば、図示は省略するが、ジッパー３０は、前方から後方に向けて下り勾配となるように形成されてもよいし、傾斜方向が切り替えられて山型または谷型になるように形成されていてもよい。
【００４７】
なお、本実施形態に係る紙製容器１は、所謂Ｂ式のカートンであったが、本考案はこれに限定されない。本実施形態に係るジッパー３０がＡ式やラップアラウンド式等の紙製容器に適用されてもよい。また、本実施形態に係る紙製容器１は、板紙で形成されていたが、これに限らず、例えば、紙製の段ボールで形成されていてもよい。
【００４８】
なお、上記実施形態の説明は、本考案に係る紙製容器における一態様を示すものであって、本考案の技術範囲は、上記実施形態に限定されるものではない。
【符号の説明】
【００４９】
１    紙製容器
３０    ジッパー
３１    切目
３２    切目本体線
３３    始端ガイド線
３３Ａ  始端線
３３Ｂ  誘導線
３４    終端線
Ｌ    仮想線
【図１】
0003208788.tif 000003
【図２】
0003208788.tif 000004
【図３】
0003208788.tif 000005
【図４】
0003208788.tif 000006
【図５】
0003208788.tif 000007
【図６】
0003208788.tif 000008
【図７】
0003208788.tif 000009
【図８】
0003208788.tif 000010